(57)【要約】【課題】  本発明は、電子機器によって生成された映像データが高品質で外部装置によって視聴されるようにすることを目的とする。【解決手段】  映像データを生成する生成手段と、外部装置に対応する解像度と、前記生成手段によって生成される映像データに対応する解像度とが一致する場合、前記生成手段によって生成される映像データが前記外部装置に送信されるように制御する制御手段とを有する電子機器。【選択図】  図１
2013198097.tif 000002
【特許請求の範囲】
【請求項１】
映像データを生成する生成手段と、
外部装置に対応する解像度と、前記生成手段によって生成される映像データに対応する解像度とが一致する場合、前記生成手段によって生成される映像データが前記外部装置に送信されるように制御する制御手段とを有することを特徴とする電子機器。
【請求項２】
前記外部装置に対応する解像度と、前記生成手段によって生成される映像データに対応する解像度とが一致しない場合、前記制御手段は、前記外部装置に前記生成手段によって生成される映像データが送信されないように制御することを特徴とする請求項１に記載の電子機器。
【請求項３】
前記外部装置に対応する解像度と、前記生成手段によって生成される映像データに対応する解像度とが一致しない場合、所定の処理を行うことなく前記生成手段によって生成される映像データから所定の映像データを生成することができる場合、前記制御手段は、前記所定の映像データが前記外部装置に送信されるように制御することを特徴とする請求項１または２に記載の電子機器。
【請求項４】
前記外部装置に対応する解像度と、前記生成手段によって生成される映像データに対応する解像度とが一致しない場合、前記所定の処理を行うことなく前記生成手段によって生成される映像データから前記所定の映像データを生成することができない場合、前記制御手段は、前記所定の映像データが前記外部装置に送信されないように制御することを特徴とする請求項３に記載の電子機器。
【請求項５】
前記所定の映像データは、前記外部装置に対応する解像度に対応する映像データを含むことを特徴とする請求項３または４に記載の電子機器。
【請求項６】
前記所定の処理は、前記外部装置に対応する解像度に応じて、前記生成手段によって生成される映像データを拡大するための処理を含むことを特徴とする請求項３から５のいずれか１項に記載の電子機器。
【請求項７】
前記所定の処理は、前記外部装置に対応する解像度に応じて、前記生成手段によって生成される映像データを縮小するための処理を含むことを特徴とする請求項３から６のいずれか１項に記載の電子機器。
【請求項８】
前記外部装置に対応する解像度は、前記外部装置から取得されるＥＤＩＤを用いて検出されることを特徴とする請求項１から７のいずれか１項に記載の電子機器。
【請求項９】
前記電子機器は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＤｉｉＶａ（Ｄｉｇｉｔａｌ  Ｉｎｔｅｒｆａｃｅ  ｆｏｒ  Ｖｉｄｅｏ  ａｎｄ  Ａｕｄｉｏ）、Ｄｉｓｐｌａｙ  Ｐｏｒｔ及びＤＶＩ（Ｄｉｇｉｔａｌ  Ｖｉｓｕａｌ  Ｉｎｔｅｒｆａｃｅ）のいずれか一つを用いて、映像データを前記外部装置に送信することを特徴とする請求項１から８のいずれか１項に記載の電子機器。
【請求項１０】
前記生成手段によって生成される映像データに対応する解像度は、フルＨＤ、ＳＤ及び４Ｋのいずれか一つに対応することを特徴とする請求項１から９のいずれか１項に記載の電子機器。
【請求項１１】
映像データを生成するステップと、
外部装置に対応する解像度と、生成された映像データに対応する解像度とが一致する場合、前記生成された映像データが前記外部装置に送信されるように制御するステップとを有する方法。
【請求項１２】
コンピュータを請求項１から１０のいずれか１項に記載の電子機器として機能させるためのプログラム。
【発明の詳細な説明】
【技術分野】
【０００１】
本発明は、外部に映像データを送信する電子機器に関する。
【背景技術】
【０００２】
現在、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）と呼ばれる通信インターフェースが提案されている。ＨＤＭＩ規格に準拠した通信システムは、ソース（Ｓｏｕｒｃｅ）装置とシンク（Ｓｉｎｋ）装置とを有する。ソース装置は、映像データをＨＤＭＩインターフェースを介して送信することができる。シンク装置は、ソース装置からの映像データをＨＤＭＩインターフェースを介して受信し、受信した映像データを表示器に表示することができる。
【０００３】
従来、シンク装置に対応する解像度を示す情報を含むＥＤＩＤ（Ｅｘｔｅｎｄｅｄ  Ｄｉｓｐｌａｙ  Ｉｄｅｎｔｉｆｉｃａｔｉｏｎ  Ｄａｔａ）をシンク装置から取得するソース装置が知られている（特許文献１）。このソース装置は、シンク装置から取得したＥＤＩＤを用いてシンク装置に表示させるためのデータを生成する。
【先行技術文献】
【特許文献】
【０００４】
【特許文献１】特開２００９−７７３４７号公報
【発明の概要】
【発明が解決しようとする課題】
【０００５】
現在、フルＨＤ（Ｆｕｌｌ  Ｈｉｇｈ  Ｄｅｆｉｎｉｔｉｏｎ）の解像度に対応する映像データを記録することができるソース装置が知られている。このソース装置は、フルＨＤの解像度に対応する映像データをシンク装置に送信する際、シンク装置がフルＨＤの解像度に対応していない場合、フルＨＤの解像度に対応する映像データをシンク装置の解像度に対応する映像データに変換する必要があった。
【０００６】
例えば、シンク装置がＳＤ（Ｓｔａｎｄａｒｄ  Ｄｅｆｉｎｉｔｉｏｎ）の解像度にだけ対応する場合、ソース装置は、フルＨＤの解像度に対応する映像データを特定の画像処理を行うことによって変換し、ＳＤの解像度に対応する映像データを生成する。さらに、ソース装置は、生成したＳＤの解像度に対応する映像データをシンク装置に送信する。
【０００７】
このように、ソース装置がシンク装置に送信する映像データは、シンク装置に対応する解像度によって制限を受けてしまう。このため、ソース装置によって記録される映像データが高品質なものであっても、シンク装置に送信される映像データの画質がシンク装置の解像度に応じて、低下してしまうような場合があった。
【０００８】
これにより、ユーザは、電子機器によって生成された高品質な映像データを外部装置で視聴することができないという問題があった。
【０００９】
そこで、本発明は、電子機器によって生成された映像データの画質を低下させることなく外部装置によって視聴できるようにすることを目的とする。
【課題を解決するための手段】
【００１０】
本発明に係る電子機器は、映像データを生成する生成手段と、外部装置に対応する解像度と、前記生成手段によって生成される映像データに対応する解像度とが一致する場合、前記生成手段によって生成される映像データが前記外部装置に送信されるように制御する制御手段とを有することを特徴とする。
【００１１】
また、本発明に係る方法は、映像データを生成するステップと、外部装置に対応する解像度と、生成された映像データに対応する解像度とが一致する場合、生成された映像データが前記外部装置に送信されるように制御するステップとを有することを特徴とする。
【発明の効果】
【００１２】
本発明によれば、電子機器によって生成された映像データの画質を低下させることなく外部装置によって視聴することができる。
【図面の簡単な説明】
【００１３】
【図１】実施例１及び２に係る通信システムの一例を示すブロック図である。
【図２】実施例１及び２に係る電子機器によって行われるデータ送信処理の一例を示すフローチャートである。
【図３】実施例１に係る電子機器によって行われる設定処理の一例を示すフローチャートである。
【図４】実施例２に係る電子機器によって行われる設定処理の一例を示すフローチャートである。
【発明を実施するための形態】
【００１４】
以下、本発明の実施例の説明は図面を参照しながら行う。ただし、以下の実施例はあくまでも一例であって、本発明は以下の実施例に限定されるものではない。
【００１５】
［実施例１］
実施例１に係る通信システムは、図１に示すように、電子機器１００と外部装置２００とが、接続ケーブル５００、分配器４００及び接続ケーブル６００を介して通信可能に接続されている。また、電子機器１００と記録装置３００とが、接続ケーブル５００、分配器４００及び接続ケーブル７００を介して通信可能に接続されている。電子機器１００、外部装置２００、記録装置３００及び分配器４００は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）規格に対応する通信を行うことができるデバイスである。
【００１６】
なお、実施例１において、接続ケーブル５００、接続ケーブル６００及び接続ケーブル７００は、ＨＤＭＩ規格に対応する通信インターフェースである。
【００１７】
接続ケーブル５００には、ＤＤＣ（Ｄｉｓｐｌａｙ  Ｄａｔａ  Ｃｈａｎｎｅｌ）ライン５０１及びＴＭＤＳ（Ｔｒａｎｓｉｔｉｏｎ−Ｍｉｎｉｍｉｚｅｄ  Ｄｉｆｆｅｒｅｎｔｉａｌ  Ｓｉｇｎａｌｉｎｇ）ライン５０２が含まれている。さらに、接続ケーブル５００には、ＣＥＣ（Ｃｏｎｓｕｍｅｒ  Ｅｌｅｃｔｒｏｎｉｃｓ  Ｃｏｎｔｒｏｌ）ライン５０３が含まれている。同様に、接続ケーブル６００には、ＤＤＣライン６０１、ＴＭＤＳライン６０２及びＣＥＣライン６０３が含まれている。同様に、接続ケーブル７００には、ＤＤＣライン７０１、ＴＭＤＳライン７０２及びＣＥＣライン７０３が含まれている。
【００１８】
なお、電子機器１００は、デジタル一眼レフカメラ、デジタルスチルカメラやデジタルビデオカメラ等の撮像デバイスであっても良く、携帯電話やスマートフォン等のデバイスであってもよい。また、外部装置２００は、テレビ、パーソナルコンピュータやプロジェクタ等のデバイスであってもよく、表示デバイスであっても良い。また、記録装置３００は、レコーダやハードディスクドライブ等のデバイスであってもよい。
【００１９】
次に、電子機器１００について説明する。電子機器１００は、ＣＰＵ（Ｃｅｎｔｒａｌ  Ｐｒｏｃｅｓｓｉｎｇ  Ｕｎｉｔ）１０１、メモリ１０２、通信部１０３、撮像部１０４、画像処理部１０５、記録部１０６、表示部１０７及び操作部１０８を有する。
【００２０】
ＣＰＵ１０１は、メモリ１０２に格納されているコンピュータプログラムに従って、電子機器１００の動作を制御する。ＣＰＵ１０１は、外部装置２００から取得した外部装置２００のデバイス情報を解析することにより、外部装置の２００の画像表示能力及び音声処理能力を知ることができる。外部装置２００のデバイス情報とは、外部装置２００に記録されているＥＤＩＤ（Ｅｘｔｅｎｄｅｄ  ｄｉｓｐｌａｙ  ｉｄｅｎｔｉｆｉｃａｔｉｏｎ  ｄａｔａ）またはＥ−ＥＤＩＤ（Ｅｎｈａｎｃｅｄ  ＥＤＩＤ）である。ＥＤＩＤ及びＥ−ＥＤＩＤはいずれも、外部装置２００の識別情報、外部装置２００がサポートしている解像度、走査周波数、アスペクト比、色空間などに関する情報等が含まれている。Ｅ−ＥＤＩＤは、ＥＤＩＤを拡張したものであり、ＥＤＩＤよりも多くの能力情報を含む。例えば、Ｅ−ＥＤＩＤには、外部装置２００がサポートしている映像データ及び音声データのフォーマットなどに関する情報が含まれている。以下、ＥＤＩＤ及びＥ−ＥＤＩＤをいずれも「ＥＤＩＤ」と呼ぶ。
【００２１】
外部装置２００から接続ケーブル５００、分配器４００及び接続ケーブル６００を介して、ＥＤＩＤを取得した電子機器１００は、ＤＤＣライン５０１を介して取得したＥＤＩＤを解析する。電子機器１００は、ＥＤＩＤの解析結果から外部装置２００の画像表示能力、音声処理能力などを知ることができる。さらに、電子機器１００は、外部装置２００の画像表示能力及び音声処理能力に適した映像データ及び音声データを生成することができる。
【００２２】
メモリ１０２は、ＣＰＵ１０１のワークエリアとして機能する。メモリ１０２には、外部装置２００から取得したＥＤＩＤ、電子機器１００に関する情報及びＣＰＵ１０１による解析の結果等も格納される。なお、ＣＰＵ１０１のワークエリアは、メモリ１０２に限られるものではなく、ハードディスクドライブ等の外部メモリ等であってもよい。
【００２３】
通信部１０３は、接続ケーブル５００を接続するための接続端子（コネクタ）を有する。通信部１０３は、ＤＤＣライン５０１、分配器４００及びＤＤＣライン６０１を介して外部装置２００からＥＤＩＤを取得する。外部装置２００から取得されたＥＤＩＤは、ＣＰＵ１０１に供給される。
【００２４】
さらに、通信部１０３は、データ送信部１０３ａ及びコマンド処理部１０３ｂを有する。
【００２５】
データ送信部１０３ａは、外部装置２００の画像表示能力に適した映像データ、外部装置２００の音声処理能力に適した音声データ及び補助データを、ＴＭＤＳライン５０２、分配器４００及びＴＭＤＳライン６０２を介して外部装置２００に送信する。データ送信部１０３ａによって外部装置２００に送信される映像データ及び音声データは、外部装置２００から取得されるＥＤＩＤに応じて生成される。
【００２６】
電子機器１００が撮影モードである場合、撮像部１０４により生成され、かつ、画像処理部１０５により画像処理が行われた映像データがデータ送信部１０３ａによって外部装置２００に送信される。この場合、不図示のマイクロフォンによって生成された音声データも映像データとともにデータ送信部１０３ａによって外部装置２００に送信される。
【００２７】
電子機器１００が再生モードである場合、記録部１０６により記録媒体１０６ａから読み出され、かつ、画像処理部１０５により画像処理が行われた映像データがデータ送信部１０３ａによって外部装置２００に送信される。この場合、記録部１０６により記録媒体１０６ａから読み出された音声データも映像データとともにデータ送信部１０３ａによって外部装置２００に送信される。
【００２８】
電子機器１００が撮影モードであり、かつ、所定の通信モードである場合、撮像部１０４によるライブビュー撮影によって生成され、かつ、画像処理部１０５による画像処理が行われた映像データがデータ送信部１０３ａによって、外部装置２００に送信される。この場合、データ送信部１０３ａによって映像データとともに音声データが外部装置２００に送信されてもよい。なお、電子機器１００が撮影モードであり、かつ、所定の通信モードである場合、データ送信部１０３ａによって送信される映像データには、撮影に関する情報等の補助データが重畳されないようにする。なお、撮影に関する情報には、撮影日時を示す情報、撮影地点を示す情報、オートフォーカスに関する情報、自動露出に関する情報、シャッタースピードに関する情報等が含まれる。
【００２９】
電子機器１００は、撮影モードであり、かつ、所定の通信モードである場合、スルー映像を外部に送信する。なお、スルー映像とは、撮像部１０４によるライブビュー撮影によって生成され、かつ、画像処理部１０５による画像処理が行われた映像データを含む。また、スルー映像は、レリーズの指示が電子機器１００に行われる前に、撮像部１０４及び画像処理部１０５によって生成される映像データを含む。また、スルー映像は、撮像部１０４及び画像処理部１０５によって生成される映像データを記録媒体１０６ａに記録させるための指示が電子機器１００に行われる前に、撮像部１０４及び画像処理部１０５によって生成される映像データを含む。
【００３０】
コマンド処理部１０３ｂは、ＣＥＣライン５０３、分配器４００及びＣＥＣライン６０３を介して接続される外部装置２００に、ＣＥＣプロトコルに対応するコマンドを送信することができる。さらに、コマンド処理部１０３ｂは、ＣＥＣライン５０３、分配器４００及びＣＥＣライン６０３を介して接続される外部装置２００からＣＥＣプロトコルに対応するコマンドを受信することができる。
【００３１】
また、コマンド処理部１０３ｂは、ＣＥＣライン５０３、分配器４００及びＣＥＣライン７０３を介して接続される記録装置３００に、ＣＥＣプロトコルに対応するコマンドを送信することができる。さらに、コマンド処理部１０３ｂは、ＣＥＣライン５０３、分配器４００及びＣＥＣライン７０３を介して接続される記録装置３００からＣＥＣプロトコルに対応するコマンドを受信することができる。
【００３２】
なお、コマンド処理部１０３ｂは、外部装置２００及び記録装置３００のいずれか一つから受信したコマンドをＣＰＵ１０１に供給することができる。ＣＰＵ１０１は、コマンド処理部１０３ｂから供給されるコマンドを解析し、その解析結果に応じて、電子機器１００を制御する。
【００３３】
なお、外部装置２００及び記録装置３００のいずれか一つに送信するコマンドは、ＣＰＵ１０１によって生成される。ＣＰＵ１０１は、コマンド処理部１０３ｂから供給されるコマンドを解析し、その解析結果に応じて、電子機器１００を制御する。
【００３４】
撮像部１０４は、不図示のレンズユニットを介して入射した被写体の光学像から静止画データや動画データ等の映像データを生成する。撮像部１０４によって生成された映像データは、画像処理部１０５に供給される。
【００３５】
画像処理部１０５は、撮像部１０４、メモリ１０２及び記録部１０６のいずれか一つから供給される映像データに画素補間処理や色変換処理等の画像処理を行う。さらに、画像処理部１０５は、適応離散コサイン変換（ＡＤＣＴ）等により映像データを圧縮し、圧縮された映像データを伸長する圧縮伸長手段を有する。なお、映像データを圧縮する方式として、ＪＰＥＧ方式、ＭＰＥＧ方式、ＲＡＷ方式等が挙げられる。撮像部１０４、メモリ１０２及び記録部１０６のいずれか一つから供給される映像データは、圧縮伸長手段によって、圧縮処理または伸長処理が行われ、記録部１０６及び通信部１０３のいずれか一つに出力される。
【００３６】
また、画像処理部１０５は、外部装置２００から取得したＥＤＩＤに基づいて、撮像部１０４、メモリ１０２及び記録部１０６のいずれか一つから供給された映像データから外部装置２００の画像表示能力に適した映像データを生成する。この場合、画像処理部１０５は、ＥＤＩＤに基づいて生成した映像データを通信部１０３及び記録部１０６の少なくとも一つに供給する。
【００３７】
記録部１０６は、撮像部１０４によって生成され、画像処理部１０５によって画像処理が行われた映像データを記録媒体１０６ａに記録する。さらに、記録部１０６は、不図示のマイクロフォン部によって生成された音声データを記録媒体１０６ａに記録する。また、記録部１０６は、記録媒体１０６ａに記録されている映像データ及び音声データの少なくとも一つを記録媒体１０６ａから読み出す。記録部１０６によって記録媒体１０６ａから読み出された映像データは画像処理部１０５に供給される。
【００３８】
記録媒体１０６ａは、電子機器１００に内蔵されているメモリあってもよく、電子機器１００に着脱可能な外部メモリであってもよい。また、記録媒体１０６ａは、メモリカードであってもよく、ハードディスクドライブであってもよい。
【００３９】
表示部１０７は、液晶ディスプレイなどの表示器により構成される。表示部１０７は、電子機器１００が撮影モードである場合、撮像部１０４によって生成された映像データを表示する。また、電子機器１００が再生モードである場合、表示部１０７は、記録媒体１０６ａから読み出された映像データを表示する。
【００４０】
操作部１０８は、電子機器１００を操作するためのユーザインターフェースを提供する。操作部１０８は、電子機器１００を操作するための電源ボタン、モード変更ボタン、シャッターボタン、十字ボタン、メニューボタン等を有し、各ボタンはスイッチ、タッチパネル等により構成される。ＣＰＵ１０１は、操作部１０８を介して入力されたユーザの指示に従って電子機器１００を制御することができる。ユーザによって操作部１０８のボタンが操作された場合、操作部１０８から各ボタンに応じた操作信号がＣＰＵ１０１に入力される。ＣＰＵ１０１は、操作部１０８から入力された操作信号を解析し、解析結果に応じて操作信号に対応した処理を判定する。ＣＰＵ１０１は、操作部１０８から入力された操作信号に対応した処理を実行するように電子機器１００を制御する。
【００４１】
ユーザは、操作部１０８を用いて、電子機器１００を撮影モード及び再生モードのいずれか一つに設定することができる。なお、電子機器１００が撮影モードである場合、ユーザは、操作部１０８を用いて、電子機器１００を所定の通信モードに設定するか否かを選択することができる。
【００４２】
分配器４００は、電子機器１００から外部装置２００に送信される映像データ、音声データ及び補助データをＴＭＤＳライン５０２を介して受信し、受信したデータを外部装置２００及び記録装置３００に供給する。
【００４３】
電子機器１００によって送信された映像データは、ＴＭＤＳライン５０２、分配器４００及びＴＭＤＳライン６０２を介して外部装置２００に供給される。さらに、電子機器１００によって送信された映像データは、ＴＭＤＳライン５０２、分配器４００及びＴＭＤＳライン７０２を介して記録装置３００に供給される。なお、電子機器１００によって送信された音声データ及び補助データも、電子機器１００によって送信された映像データと同様である。
【００４４】
次に、外部装置２００について説明する。外部装置２００は、電子機器１００から受信した映像データを不図示のディスプレイに表示し、電子機器１００から受信した音声データを不図示のスピーカから出力する。外部装置２００は、ＥＤＩＤを記録する。さらに、外部装置２００は、外部装置２００の表示設定が変更された場合、変更された後の表示設定に応じて、ＥＤＩＤに含まれる情報を書き換える。
【００４５】
次に、記録装置３００について説明する。記録装置３００は、ＣＰＵ３０１、画像処理部３０２、通信部３０３、記録部３０４、操作部３０５及びメモリ３０６を有する。
【００４６】
ＣＰＵ３０１は、メモリ３０６に記録されているコンピュータプログラムに従って記録装置３００の動作を制御する。
【００４７】
画像処理部３０２は、通信部３０３から供給される映像データに対してさまざまな画像処理を行う。画像処理部３０２によって画像処理が行われた映像データは、記録部３０４に供給される。
【００４８】
通信部３０３は、接続ケーブル７００を接続するための接続端子を有する。
【００４９】
通信部３０３は、電子機器１００から送信された映像データ、音声データ及び補助データをＴＭＤＳライン７０２を介して受信する。通信部３０３によって電子機器１００から受信した映像データは、画像処理部３０２に供給される。通信部３０３によって電子機器１００から受信した音声データは、特定の処理が行われてから記録部３０４に供給される。通信部３０３によって電子機器１００から受信した補助データは、ＣＰＵ３０１に供給される。
【００５０】
記録部３０４は、画像処理部３０２で画像処理が行われた映像データを記録媒体３０４ａに記録する。また、記録部３０４は、通信部３０３から供給された音声データを記録媒体３０４ａに記録する。記録媒体３０４ａは、記録装置３００に内蔵されているメモリであってもよく、記録装置３００に取り外し可能な外部のメモリであってもよい。
【００５１】
操作部３０５は、記録装置３００を操作するためのユーザインターフェースを提供する。
【００５２】
なお、実施例１において、電子機器１００から外部装置２００に送信される映像データ、音声データ及び補助データと同一のデータが記録装置３００にも電子機器１００から分配器４００を介して送信されるものとする。
【００５３】
なお、分配器４００は、外部装置２００及び記録装置３００に外部接続されるものであってもよい。また、外部装置２００は、分配器４００及び記録装置３００を含むものであってもよい。また、外部装置２００は、分配器４００を含み、記録装置３００と外部接続されるものであってもよい。なお、分配器４００は、電子機器１００から出力される映像データ、音声データ及び補助データの少なくとも一つを外部装置２００及び記録装置３００に供給するものであれば良いものとする。
【００５４】
次に、図２を参照して、実施例１に係る電子機器１００で行われるデータ送信処理について説明する。なお、データ送信処理は、電子機器１００の動作モードが撮影モードであり、かつ、所定の通信モードである場合に実行される。実施例１では、ＣＰＵ１０１が、メモリ１０２に格納されているコンピュータプログラムに従ってデータ送信処理を制御する場合を説明する。
【００５５】
Ｓ２０１において、ＣＰＵ１０１は、電子機器１００が撮影モードであり、かつ、所定の通信モードであるか否かを判定する。ＣＰＵ１０１によって、電子機器１００が撮影モードであり、かつ、所定の通信モードであると判定された場合（Ｓ２０１でＹｅｓ）、本フローチャートは、Ｓ２０１からＳ２０２に進む。ＣＰＵ１０１によって、電子機器１００が撮影モードでないと判定された場合（Ｓ２０１でＮｏ）、本フローチャートは、Ｓ２０１に戻る。ＣＰＵ１０１によって、電子機器１００が所定の通信モードでないと判定された場合（Ｓ２０１でＮｏ）、本フローチャートは、Ｓ２０１に戻る。
【００５６】
Ｓ２０２において、ＣＰＵ１０１は、ライブビュー撮影を開始するための処理を行う。この場合、被写体光が撮像部１０４に含まれる不図示の撮像素子に導かれ、撮像素子によって撮像データが生成される。撮像素子によって生成された撮像データは、撮像部１０４に含まれるＡ／Ｄコンバータによってデジタルデータに変換され、画像処理部１０５に供給される。画像処理部１０５に供給されたデジタルデータは、画像処理部１０５によって所定の画素補間処理や色変換処理が行なわれる。
【００５７】
このとき、画像処理部１０５によってデジタルデータに対して行われる画素補間処理は、電子機器１００において、あらかじめ設定された映像データの記録設定に基づいて行われる。なお、映像データの記録設定は、ユーザが操作部１０８を用いて変更することができる。このため、ユーザは、操作部１０８を用いて映像データの記録設定を変更することによって、外部装置２００に送信するための映像データに対して行う補間方法を変更することができる。
【００５８】
なお、映像データの記録設定がフルＨＤ（Ｆｕｌｌ  Ｈｉｇｈ  Ｄｅｆｉｎｉｔｉｏｎ）に設定されている場合、画素補間処理が行われた後の映像データは、フルＨＤの解像度（１９２０×１０８０ピクセル）に対応する。また、映像データの記録設定がＳＤ（Ｓｔａｎｄａｒｄ  Ｄｅｆｉｎｉｔｉｏｎ）に設定されている場合、画素補間処理が行われた後の映像データはＳＤの解像度（最大７２０×４８０または、最大７２０×５７６ピクセル）に対応する。
【００５９】
画像処理部１０５によって画素補間処理や色変換処理が行われたデジタルデータは、映像データとしてメモリ１０２に格納される。この場合、本フローチャートは、Ｓ２０２からＳ２０３に進む。なお、Ｓ２０２において、撮像部１０４及び画像処理部１０５は、オートフォーカス処理、自動露出処理やホワイトバランス処理等を行っても良い。なお、画像処理部１０５は、デジタルデータに対して、映像データの記録設定に応じて画素補間処理を行う。また、画像処理部１０５は、デジタルデータに対して、外部装置２００から取得されたＥＤＩＤの解析結果に応じて、画素補間処理以外の画像処理を行ってもよい。
【００６０】
Ｓ２０３において、ＣＰＵ１０１は、後述の設定処理を行う。設定処理が行われた場合、本フローチャートは、Ｓ２０４に進む。ＣＰＵ１０１によって設定処理が行われた場合、データ送信部１０３ａによって外部装置２００に映像データを送信することができるか否かの設定が行われる。なお、Ｓ２０３によって設定処理が行われた場合に、データ送信部１０３ａによって外部装置２００に映像データを送信することができる場合、第１のフラグＦ１がオンに設定される。なお、Ｓ２０３によって設定処理が行われた場合に、データ送信部１０３ａによって外部装置２００に映像データを送信することができない場合、第１のフラグＦ１がオフに設定される。第１のフラグＦ１とは、データ送信部１０３ａによって外部装置２００に映像データを送信することができるか否かを示す情報である。なお、第１のフラグＦ１は、メモリ１０２に格納されている。第１のフラグＦ１がオンに設定されている場合、ＣＰＵ１０１は、データ送信部１０３ａによって外部装置２００に映像データを送信することができると判定する。第１のフラグＦ１がオフに設定されている場合、ＣＰＵ１０１は、データ送信部１０３ａによって外部装置２００に映像データを送信することができないと判定する。
【００６１】
Ｓ２０４において、ＣＰＵ１０１は、第１のフラグＦ１の設定を確認することによって、データ送信部１０３ａによって外部装置２００に映像データを送信することができるか否かを判定する。ＣＰＵ１０１によって、第１のフラグＦ１がオンである判定された場合（Ｓ２０４でＹｅｓ）、本フローチャートはＳ２０４からＳ２０５に進む。ＣＰＵ１０１によって、第１のフラグＦ１がオンでない、つまり第１のフラグＦ１がオフであると判定された場合（Ｓ２０４でＮｏ）、本フローチャートはＳ２０４からＳ２０８に進む。
【００６２】
Ｓ２０５において、ＣＰＵ１０１は、Ｓ２０２において、メモリ１０２に格納された映像データを外部装置２００に送信するようにデータ送信部１０３ａを制御する。この場合、音声データ及び補助データも、映像データとともに外部装置２００に送信されるようにしても良い。映像データの送信が開始された場合、本フローチャートは、Ｓ２０５からＳ２０６に進む。なお、Ｓ２０５において、電子機器１００から送信された映像データは、分配器４００を介して、外部装置２００及び記録装置３００に供給される。なお、ＣＰＵ１０１は、映像データを送信する前に、ＣＥＣライン５０３を介して、映像データを送信することを通知するためのコマンドを外部装置２００及び記録装置３００に送信するようにコマンド処理部１０３ｂを制御する。映像データを送信することを通知するためのコマンドは、例えば、ＣＥＣプロトコルに規定されている＜Ａｃｔｉｖｅ  Ｓｏｕｒｃｅ＞メッセージである。また、映像データを送信することを通知するためのコマンドは、ベンダーコマンドであってもよい。
【００６３】
Ｓ２０６において、ＣＰＵ１０１は、ライブビュー撮影の終了を指示するための操作が操作部１０８に対して行われたか否かを判定する。ＣＰＵ１０１によって、ライブビュー撮影の終了を指示するための操作が操作部１０８に対して行われたと判定された場合（Ｓ２０６でＹｅｓ）、本フローチャートは、Ｓ２０６からＳ２０７に進む。ＣＰＵ１０１によって、ライブビュー撮影の終了を指示するための操作が操作部１０８に対して行われていないと判定された場合（Ｓ２０６でＮｏ）、本フローチャートは、Ｓ２０６からＳ２０３に戻る。
【００６４】
なお、ライブビュー撮影の終了を指示するための操作が行われていない場合（Ｓ２０６でＮｏ）に、外部装置２００の解像度に関する設定や外部装置２００の画素に関する設定が変更された場合、電子機器１００は、再び、外部装置２００からＥＤＩＤを取得する。その後、ＣＰＵ１０１は、Ｓ２０３の設定処理を行ってから外部装置２００に映像データを送信するための処理を行う。
【００６５】
また、ライブビュー撮影の終了を指示するための操作が行われていない場合（Ｓ２０６でＮｏ）に、電子機器１００において、映像データの記録設定が変更された場合、電子機器１００は、再び、Ｓ２０３の設定処理を行う。さらに、この場合、電子機器１００は、Ｓ２０３の設定処理が行われてから外部装置２００に映像データを送信するための処理を行う。
【００６６】
また、ライブビュー撮影の終了を指示するための操作が行われていない場合（Ｓ２０６でＮｏ）に、外部装置２００と異なる装置に映像データを送信する場合、電子機器１００は、映像データを送信する対象となる装置からＥＤＩＤを取得する。その後、ＣＰＵ１０１は、Ｓ２０３の設定処理を行ってから外部に映像データを送信するための処理を行う。
【００６７】
Ｓ２０７において、ＣＰＵ１０１は、ライブビュー撮影を終了するための処理を行う。この場合、ＣＰＵ１０１は、被写体から映像データを生成する処理を停止するように撮像部１０４及び画像処理部１０５を制御する。さらに、ＣＰＵ１０１は、映像データの送信を停止するようにデータ送信部１０３ａを制御する。この場合、本フローチャートは、終了する。
【００６８】
なお、電子機器１００が一眼レフカメラである場合、Ｓ２０２において、ＣＰＵ１０１は、撮像部１０４に含まれる不図示のミラーをアップさせることによって、被写体からの光が撮像素子に導かれるようにする。さらに、Ｓ２０７において、ＣＰＵ１０１は、撮像部１０４に含まれる不図示のミラーをダウンさせることによって、被写体からの光が撮像素子に導かれないようにする。
【００６９】
Ｓ２０８において、ＣＰＵ１０１は、映像データを送信することができないことを通知する。
【００７０】
例えば、ＣＰＵ１０１は、映像データを送信することができないことを示すコマンドをＣＥＣライン５０３を介して外部装置２００及び記録装置３００に送信するようにコマンド処理部１０３ｂを制御する。なお、ＣＰＵ１０１は、映像データを送信することができないことを示すコマンドを外部装置２００及び記録装置３００のいずれか一つに送信するようにコマンド処理部１０３ｂを制御してもよい。映像データを送信することができないことを示すコマンドとは、例えば、ＣＥＣプロトコルに規定されている＜Ｉｎａｃｔｉｖｅ  Ｓｏｕｒｃｅ＞メッセージである。また、映像データを送信することができないことを示すコマンドは、ベンダーコマンドであってもよいものとする。
【００７１】
また、例えば、ＣＰＵ１０１は、映像データを送信することができないことを示すデータをＴＭＤＳライン５０２を介して外部装置２００及び記録装置３００に送信するようにデータ送信部１０３ａを制御する。なお、ＣＰＵ１０１は、映像データを送信することができないことを示すデータを外部装置２００及び記録装置３００のいずれか一つに送信するようにデータ送信部１０３ａを制御してもよい。映像データを送信することができないことを示すデータとは、例えば、ＨＤＭＩ規格に規定されているＶｅｎｄｏｒ  Ｓｐｅｃｉｆｉｃ  ＩｎｆｏＦｒａｍｅである。
【００７２】
Ｓ２０８において、ＣＰＵ１０１は、さらに、映像データを送信することができないことを示すデータを表示部１０７に表示させるようにしてもよい。
【００７３】
次に、図３を参照して、実施例１に係る電子機器１００で行われる設定処理について説明する。なお、設定処理は、図２のＳ２０３において行われる処理である。実施例１では、ＣＰＵ１０１が、メモリ１０２に格納されているコンピュータプログラムに従って設定処理を制御する場合を説明する。
【００７４】
Ｓ３０１において、ＣＰＵ１０１は、外部装置２００からＥＤＩＤを取得したか否かを判定する。ＣＰＵ１０１によって、外部装置２００からＥＤＩＤが取得されたと判定された場合（Ｓ３０１でＹｅｓ）、本フローチャートは、Ｓ３０１からＳ３０２に進む。ＣＰＵ１０１によって、外部装置２００からＥＤＩＤが取得されていないと判定された場合（Ｓ３０１でＮｏ）、本フローチャートは、Ｓ３０１に戻る。外部装置２００からＥＤＩＤが取得されていない場合（Ｓ３０１でＮｏ）、ＣＰＵ１０１は、外部装置２００からＥＤＩＤを取得するための処理を行う。
【００７５】
Ｓ３０２において、ＣＰＵ１０１は、外部装置２００から取得されたＥＤＩＤを解析する。ＣＰＵ１０１によって解析されたＥＤＩＤの解析結果は、メモリ１０２に記録される。この場合、本フローチャートは、Ｓ３０２からＳ３０３に進む。
【００７６】
Ｓ３０３において、ＣＰＵ１０１は、撮像部１０４及び画像処理部１０５によって生成される映像データの解像度を検出し、ＥＤＩＤの解析結果から外部装置２００によって設定されている解像度を検出する。撮像部１０４及び画像処理部１０５は、電子機器１００で設定されている解像度に対応する映像データを生成する。なお、電子機器１００で設定されている解像度は、ユーザが操作部１０８を介して、解像度を変更するための操作を行った場合に変更される。外部装置２００によって設定されている解像度は、外部装置２００が映像データの表示を行う際の解像度である。
【００７７】
なお、撮像部１０４及び画像処理部１０５によって生成される映像データの解像度を、以下「第１の解像度」と呼び、外部装置２００によって設定されている解像度を、以下「第２の解像度」と呼ぶ。
【００７８】
さらに、ＣＰＵ１０１は、第１の解像度と第２の解像度とが一致するか否かは判定する。
【００７９】
ＣＰＵ１０１によって、第１の解像度と第２の解像度とが一致すると判定された場合（Ｓ３０３でＹｅｓ）、本フローチャートは、Ｓ３０３からＳ３０４に進む。ＣＰＵ１０１によって、第１の解像度と第２の解像度とが一致しない場合（Ｓ３０３でＮｏ）、本フローチャートは、Ｓ３０３からＳ３０５に進む。
【００８０】
ＣＰＵ１０１によって、第１の解像度と第２の解像度とが一致すると判定された場合（Ｓ３０３でＹｅｓ）、外部装置２００は、第１の解像度に対応する映像データを表示することができる。そのため、電子機器１００は、撮像部１０４及び画像処理部１０５によって生成される映像データに、拡大処理、縮小処理及びトリミング処理を行うことなく外部装置２００に送信することができる。この場合、電子機器１００によって生成される映像データは、画質が低下することなく、外部装置２００によって高画質で視聴される。そこで、Ｓ３０４において、ＣＰＵ１０１は、第１のフラグＦ１をオンに設定する。この場合、本フローチャートは終了し、図２のＳ２０４に進む。
【００８１】
ＣＰＵ１０１によって、第１の解像度と第２の解像度とが一致しない場合（Ｓ３０３でＮｏ）、外部装置２００の表示の設定は、第１の解像度に対応していない。この場合、電子機器１００は、撮像部１０４及び画像処理部１０５によって生成される映像データに、拡大処理、縮小処理及びトリミング処理の少なくとも一つを行うことによって、第２の解像度に対応する映像データを生成する必要がある。この場合、電子機器１００は、拡大処理、縮小処理及びトリミング処理の少なくとも一つによって生成された第２の解像度に対応する映像データを外部装置２００に送信する。第１の解像度に対応する映像データに拡大処理、縮小処理及びトリミング処理の少なくとも一つを行うことによって生成された映像データは、元の第１の解像度に対応する映像データに比べて、画質が低下する。このため、画質が低下した映像データを外部装置２００に表示させないようにするために、Ｓ３０５において、ＣＰＵ１０１は、第１のフラグＦ１をオフに設定する。この場合、本フローチャートは終了し、図２のＳ２０４に進む。
【００８２】
実施例１に係る電子機器１００は、電子機器１００によって生成される映像データに対応する解像度と、外部装置２００に対応する解像度とに応じて、外部装置２００に映像データを送信するか否かを制御するようにした。
【００８３】
これにより、電子機器１００は、電子機器１００によって生成される映像データに対応する解像度と、外部装置２００に対応する解像度とが一致しない場合、外部装置２００に映像データを送信しないようにした。このため、電子機器１００は、電子機器１００によって生成される映像データを高品質で視聴することができない装置に対して、映像データの送信を停止することができる。この場合、電子機器１００は、電子機器１００によって生成された映像データを高品質のまま記録装置３００に伝送できないので、記録装置３００に電子機器１００から送信される映像データを記録させないようにすることができる。
【００８４】
また、これにより、電子機器１００は、電子機器１００によって生成される映像データに対応する解像度と、外部装置２００に対応する解像度とが一致する場合、外部装置２００に映像データを送信するようにした。このため、電子機器１００は、電子機器１００によって生成される映像データの解像度と同等の解像度によって、電子機器１００から送信された映像データを視聴することができる装置に対して、映像データの送信を行うことができる。この場合、電子機器１００は、電子機器１００によって生成された映像データを高品質のまま記録装置３００に伝送できるので、記録装置３００に電子機器１００から送信される映像データを記録させるようにすることができる。
【００８５】
したがって、電子機器１００は、電子機器１００によって生成された映像データの画質を低下させることなく外部装置２００によって視聴するようにすることができる。さらに、電子機器１００は、電子機器１００によって生成された映像データが高品質で記録装置３００によって記録されるようにすることができる。
【００８６】
なお、図２のデータ送信処理及び図３の設定処理は、記録装置３００が電子機器１００から受信した映像データの記録を行うことが検出されてから行われるようにしてもよい。また、図２のデータ送信処理及び図３の設定処理は、記録装置３００が電子機器１００から受信した映像データの記録を行う手段を有するか否かに応じて、ＣＰＵ１０１によって行われるように制御してもよい。
【００８７】
［実施例２］
実施例２において、実施例１と共通する部分については、その説明を省略し、実施例１と異なる部分について説明する。
【００８８】
次に、実施例２において、電子機器１００によって行われる設定処理について、図４のフローチャートを用いて説明する。実施例２では、ＣＰＵ１０１が、メモリ１０２に格納されているコンピュータプログラムに従って、設定処理を制御する場合を説明する。なお、図４の設定処理は、図２のデータ送信処理において、データ送信部１０３ａによって映像データが外部に送信されている間に行われても良いものとする。なお、図４の設定処理は、実施例２に係る電子機器１００において、図２のＳ２０３において行われる処理である。
【００８９】
図４の設定処理におけるＳ４０１〜Ｓ４０４及びＳ４０７は、図３の設定処理におけるＳ３０１〜Ｓ３０５と同様の処理を行うため、説明を省略する。
【００９０】
ＣＰＵ１０１によって、第１の解像度と第２の解像度とが一致すると判定された場合（Ｓ４０３でＹｅｓ）、本フローチャートは、Ｓ４０３からＳ４０４に進む。ＣＰＵ１０１によって、第１の解像度と第２の解像度とが一致しない場合（Ｓ４０３でＮｏ）、本フローチャートは、Ｓ４０３からＳ４０５に進む。
【００９１】
Ｓ４０５において、ＣＰＵ１０１は、撮像部１０４及び画像処理部１０５によって生成される映像データの画質を低下させることなく、第２の解像度に対応する映像データを生成することができるか否かを判定する。なお、第２の解像度に対応する映像データを以下、「所定の映像データ」と呼ぶ。
【００９２】
例えば、第１の解像度がＳＤに対応している場合、かつ、第２の解像度がフルＨＤに対応している場合、ＣＰＵ１０１は、撮像部１０４及び画像処理部１０５によって生成される映像データと黒画データとを用いて、所定の映像データを生成することができる。なお、黒画データは、「黒帯」や「黒ベタ」と呼ばれるものであってもよい。この場合、電子機器１００は、撮像部１０４及び画像処理部１０５によって生成される映像データに拡大処理、縮小処理及びトリミング処理を行うことなく、所定の映像データを生成することができる。そのため、生成された所定の映像データは、元の第１の解像度に対応する映像データに比べて、画質が低下しない。これにより、第２の解像度の方が、第１の解像度よりも高解像度である場合、ＣＰＵ１０１は、撮像部１０４及び画像処理部１０５によって生成される映像データの画質を低下させることなく所定の映像データを生成することができると判定する。ＣＰＵ１０１により、撮像部１０４及び画像処理部１０５により生成される映像データの画質を低下させることなく、所定の映像データを生成することができると判定された場合（Ｓ４０５でＹｅｓ）、本フローチャートは、Ｓ４０５からＳ４０８に進む。
【００９３】
また、例えば、第１の解像度が４Ｋの解像度や、ＱＦＨＤ（Ｑｕａｄ  Ｆｕｌｌ  Ｈｉｇｈ  Ｄｅｆｉｎｉｔｉｏｎ）に対応している場合であり、かつ、第２の解像度がフルＨＤに対応している場合、ＣＰＵ１０１は、所定の映像データを生成することができないと判定する。この場合、所定の映像データを生成するためには、撮像部１０４及び画像処理部１０５によって生成される映像データに縮小処理を行う必要がある。撮像部１０４及び画像処理部１０５によって生成される映像データに縮小処理が行われた場合、元の第１の解像度に対応する映像データに比べて、画質が低下してしまう。このため、第１の解像度の方が、第２の解像度よりも高解像度である場合、ＣＰＵ１０１は、所定の映像データを生成することができないと判定する。なお、４Ｋの解像度は、例えば、４０９６×２１６０ピクセルの解像度であり、ＱＦＨＤは、３８４０×２１６０ピクセルの解像度である。ＣＰＵ１０１によって、撮像部１０４及び画像処理部１０５によって生成される映像データから画質を低下させることなく所定の映像データを生成することはできないと判定された場合（Ｓ４０５でＮｏ）、本フローチャートは、Ｓ４０５からＳ４０６に進む。
【００９４】
Ｓ４０６において、ＣＰＵ１０１は、第２のフラグＦ２をオフに設定する。この場合、本フローチャートは、Ｓ４０６からＳ４０７に進む。なお、第２のフラグＦ２は、撮像部１０４及び画像処理部１０５によって生成される映像データから所定の映像データを生成することができるか否かを示す情報である。なお、第２のフラグＦ２は、メモリ１０２に格納されている。第２のフラグＦ２がオフに設定されている場合、ＣＰＵ１０１は、Ｓ２０５において、所定の映像データを生成するための処理を行わないように制御する。第２のフラグＦ２がオンに設定されている場合、ＣＰＵ１０１は、Ｓ２０５において、所定の映像データを生成する処理を行うように制御する。なお、所定の映像データを生成する処理は、例えば、第１の解像度で生成された映像データに黒画データを合成することによって所定の映像データを生成するための処理である。第１の解像度で生成された映像データに黒画データを合成する処理は、画像処理部１０５によって行われる。なお、所定の映像データを生成する処理において、第１の解像度で生成された映像データに対して、拡大処理、縮小処理及びトリミング処理は行われない。
【００９５】
Ｓ４０７の処理が行われた場合、本フローチャートは終了し、図２のＳ２０４に進む。
【００９６】
Ｓ４０８において、ＣＰＵ１０１は、第２のフラグＦ２をオンに設定する。この場合、本フローチャートは、Ｓ４０８からＳ４０４に進む。
【００９７】
Ｓ４０４の処理が行われた場合、本フローチャートは終了し、図２のＳ２０４に進む。
【００９８】
実施例２において、ＣＰＵ１０１が図２のＳ２０５を行う場合、第２のフラグＦ２がオンであるか否かを判定する。この場合に、第２のフラグＦ２がオンである場合、ＣＰＵ１０１は、第１の解像度で生成された映像データと黒画データとが合成されたデータを外部装置２００に送信するようにデータ送信部１０３ａを制御する。
【００９９】
実施例２に係る電子機器１００は、実施例１と共通する処理や構成については、実施例１と同様の効果を有するものとする。
【０１００】
実施例２に係る電子機器１００は、第１の解像度に対応する映像データから第２の解像度に対応する映像データを生成することができるか否かに応じて、外部装置２００に映像データを送信するか否かを制御するようにした。
【０１０１】
これにより、電子機器１００は、第１の解像度に対応する映像データの画質を低下させることなく、第２の解像度に対応する映像データを生成することができない場合、外部装置２００に映像データを送信しないようにした。このため、電子機器１００は、電子機器１００によって生成される第１の解像度に対応する映像データが外部装置２００において高品質で視聴することができない場合、映像データの送信を停止することができる。この場合、電子機器１００は、画質の低下した映像データを記録装置３００に記録させないようにすることができる。
【０１０２】
また、これにより、電子機器１００は、第１の解像度に対応する映像データの画質を低下させることなく、第２の解像度に対応する映像データを生成することができる場合、外部装置２００に映像データを送信するようにした。この場合、電子機器１００は、電子機器１００によって生成される第１の解像度に対応する映像データを外部装置２００において高画質で視聴させることができる。この場合、電子機器１００は、記録装置３００に電子機器１００から送信される映像データを記録させるようにすることができる。
【０１０３】
したがって、電子機器１００は、電子機器１００によって生成された映像データの画質を低下させることなく外部装置２００によって視聴されるようにすることができる。さらに、電子機器１００は、電子機器１００によって生成された映像データの画質を低下させることなく記録装置３００によって記録されるようにすることができる。
【０１０４】
なお、図２のデータ送信処理及び図４の設定処理は、記録装置３００が電子機器１００から受信した映像データの記録を行うことが検出されてから行われるようにしてもよい。また、図２のデータ送信処理及び図４の設定処理は、記録装置３００が電子機器１００から受信した映像データの記録を行う手段を有するか否かに応じて、ＣＰＵ１０１によって行われるように制御してもよい。
【０１０５】
なお、実施例１及び２において、電子機器１００は、電子機器１００によって生成される映像データに対応する解像度と、外部装置２００に対応する解像度とに応じて、外部装置２００に映像データを送信するか否かを制御するようにした。しかし、電子機器１００によって生成される映像データに対応する画素数と、外部装置２００に対応する画素数とに応じて、外部装置２００に映像データを送信するか否かを制御するようにしてもよい。
【０１０６】
また、電子機器１００によって生成される映像データに対応する解像度と、外部装置２００に対応する解像度とが一致する場合、外部装置２００に映像データを送信するように制御した。しかし、外部装置２００に送信するための映像データに対応する解像度と、外部装置２００に対応する解像度との差に応じて、外部装置２００に映像データを送信するか否かを制御するようにしてもよい。
【０１０７】
なお、電子機器１００、外部装置２００、記録装置３００、分配器４００、接続ケーブル５００、接続ケーブル６００及び接続ケーブル７００は、ＨＤＭＩ規格と互換性のある規格に対応するものであってもよい。
【０１０８】
なお、電子機器１００、外部装置２００、記録装置３００、分配器４００、接続ケーブル５００、接続ケーブル６００及び接続ケーブル７００は、ＤＶＩ（Ｄｉｇｉｔａｌ  Ｖｉｓｕａｌ  Ｉｎｔｅｒｆａｃｅ）（登録商標）規格に対応するものであってもよい。
【０１０９】
また、電子機器１００、外部装置２００、記録装置３００、分配器４００、接続ケーブル５００、接続ケーブル６００及び接続ケーブル７００は、Ｄｉｓｐｌａｙ  Ｐｏｒｔ（登録商標）規格に対応するものであってもよい。
【０１１０】
また、電子機器１００、外部装置２００、記録装置３００及び分配器４００は、ＤｉｉＶａ（Ｄｉｇｉｔａｌ  Ｉｎｔｅｒｆａｃｅ  ｆｏｒ  Ｖｉｄｅｏ  ａｎｄ  Ａｕｄｉｏ）に対応するものであってもよい。さらに、接続ケーブル５００、接続ケーブル６００及び接続ケーブル７００は、ＤｉｉＶａに対応するものであってもよい。
【０１１１】
また、電子機器１００、外部装置２００、記録装置３００及び分配器４００は、ＭＨＬ（Ｍｏｂｉｌｅ  Ｈｉｇｈ−ｄｅｆｉｎｉｔｉｏｎ  Ｌｉｎｋ）（登録商標）規格に対応するものであってもよい。さらに、接続ケーブル５００、接続ケーブル６００及び接続ケーブル７００は、ＭＨＬ規格に対応するものであってもよい。
【０１１２】
また、電子機器１００によって生成される映像データは、無線により外部装置２００、記録装置３００及び分配器４００の少なくとも一つに送信されるようにしてもよい。
【０１１３】
［他の実施例］
本発明に係る電子機器は、実施例１及び２で説明した電子機器に限定されるものではない。本発明に係る電子機器は、例えば、複数の装置から構成されるシステムにより実現することも可能である。
【０１１４】
また、実施例１及び２において説明した処理、構成、機能及びシステムは、コンピュータで実行可能なコンピュータプログラムによって実現することもできる。この場合、当該コンピュータプログラムは、コンピュータ読取可能な記録媒体から当該コンピュータによって読み出され、当該コンピュータで実行される。またこの場合、当該コンピュータ読取可能な記録媒体には、ハードディスク装置、光ディスク、ＣＤ−ＲＯＭ、ＣＤ−Ｒ、メモリカード、ＲＯＭ等を用いることができる。なお、当該コンピュータプログラムは、通信インターフェースを介して外部装置から当該コンピュータに提供され、当該コンピュータで実行されるようにしてもよい。
【符号の説明】
【０１１５】
１００  電子機器
２００  外部装置
３００  記録装置
【図１】
2013198097.tif 000003
【図２】
2013198097.tif 000004
【図３】
2013198097.tif 000005
【図４】
2013198097.tif 000006